(57)【要約】【課題】  解決しようとする問題点は、携帯電話機、ＰＨＳ等の携帯端末に係り、特に着信履歴または発信履歴を効率よく削除することで、使い勝手を向上させることである。【解決手段】  着信及び発信した電話番号やメールアドレス、またはそれに関連づけられた情報を、着信日時または発信日時と共に着信履歴または発信履歴として記憶し、記憶された着信履歴や発信履歴を電話番号やメールアドレスの同一性から、日時の新しい順から予め定められた件数を記憶し、新しい順から予め定められた件数以外の古い履歴を削除することで実現した。【選択図】図１
2006066985.tif 000002
【特許請求の範囲】
【請求項１】
着信及び発信した電話番号またはそれに関連づけられた情報を、着信日時または発信日時と共に着信履歴または発信履歴として記憶し、前記着信履歴または前記発信履歴を表示する携帯端末であって、前記記憶された前記着信履歴または前記発信履歴の内、同じ電話番号の受信または発信に対して、受信日時または発信日時の新しい順から予め定められた件数を記憶し、前記新しい順から予め定められた件数以外の受信日時または発信日時の古い着信履歴または発信履歴を削除することを特徴とする携帯端末。
【請求項２】
着信及び発信したメールアドレスまたはそれに関連づけられた情報を、着信日時または発信日時と共に着信履歴または発信履歴として記憶し、前記着信履歴または前記発信履歴を表示する携帯端末であって、前記記憶された前記着信履歴または前記発信履歴の内、同じメールアドレスの受信または発信に対して、受信日時または発信日時の新しい順から予め定められた件数を記憶し、前記新しい順から予め定められた件数以外の受信日時または発信日時の古い着信履歴または発信履歴を削除することを特徴とする携帯端末。
【発明の詳細な説明】
【技術分野】
【０００１】
本発明は、携帯電話機、ＰＨＳ等の携帯端末に係り、特に着信履歴または発信履歴を効率よく削除することで、使い勝手を向上できる携帯端末に関する。
【背景技術】
【０００２】
一般的に携帯電話機やＰＨＳ等の携帯端末では、自己宛の呼出を受信すると、その呼出に関する着信日時や発信者の番号（発信者番号）等を記憶し、着信履歴として表示する機能を有している。そして更に、着信履歴を表示した際に、その表示された電話番号で発信し、折返し通話の操作を簡略化する機能も有しているものが多い。
また、発信する時も同様に、その発信に関する発信日時や発信者の番号（発信者番号）等を記憶し、発信履歴として表示する機能を有している。そして更に、発信履歴を表示した際に、その表示された電話番号で発信し、再度の通話の操作を簡略化する機能も有しているものが多い。
さらに、メール機能を有する携帯端末においては、受信や発信したメールの受信履歴や発信履歴から相手先のメールアドレスを特定して、メール作成時の送信先の特定を容易にしている機能を有しているものもある。
【０００３】
音声通話の場合の着信を例に取ると、一般的に、発信者番号の種類としては、発信者番号を相手に通知する発番通知有りの番号と、発信者番号を相手に通知しない非通知の番号と、発信者番号を通知できない通知不可能の番号と、公衆電話の番号などが考えられる。また、発番通知有りの番号の場合には、その番号がメモリダイヤル（電話帳）等に登録されている知人の番号であるか、登録されていない番号であるかで分類できる。
【０００４】
従来の携帯端末では、着信履歴を受信順に記憶し、表示の際は、新しいものから１件ずつ着信日時や発信者番号などを表示し、スクロールキー（矢印キーなど）により順に古いものへと履歴の表示データを切り替えられるようになっているが、例えば、メモリダイヤル等に登録されている知人からの着信も、それ以外の発番通知有りの着信も、更には非通知や公衆電話からの着信であっても全て同じ扱いで着信履歴に混在で表示されている。また、従来の携帯端末では、着信履歴を削除する際は、一括削除か又は個別に履歴を呼び出して表示し、個別削除を行うようになっていた。
【０００５】
また、上記携帯端末では、着信履歴が種類に関係なく全て同じ扱いで同様なものが多数混在して着信順に表示されるので、特に折返し通話等のために履歴を表示する際には、同様なものが多数混在していると見ずらく、使い勝手が悪いということを問題点として、着信した電話番号又はそれに関連づけられた情報を、着信日時と共に着信履歴として種類別に分類可能に記憶し、種類別に着信履歴を表示することを特徴と機能も開示されている。
【特許文献１】特開２００１−２５７７６６号公報
【発明の開示】
【発明が解決しようとする課題】
【０００６】
解決しようとする問題点は、携帯端末における着信履歴または発信履歴の記憶件数が多くなった場合の使い勝手が劣化することである。
【課題を解決するための手段】
【０００７】
本発明は、上記課題を鑑みて為されたものであり、着信及び発信した電話番号またはそれに関連づけられた情報を、着信日時または発信日時と共に着信履歴または発信履歴として記憶し、着信履歴または発信履歴を表示する携帯端末であって、記憶された着信履歴または発信履歴の内、同じ電話番号の受信または発信に対して、受信日時または発信日時の新しい順から予め定められた件数を記憶し、新しい順から予め定められた件数以外の受信日時または発信日時の古い着信履歴または発信履歴を削除することを特徴とする。
【０００８】
また、着信及び発信したメールアドレスまたはそれに関連づけられた情報を、着信日時または発信日時と共に着信履歴または発信履歴として記憶し、着信履歴または発信履歴を表示する携帯端末であって、記憶された着信履歴または発信履歴の内、同じメールアドレスの受信または発信に対して、受信日時または発信日時の新しい順から予め定められた件数を記憶し、新しい順から予め定められた件数以外の受信日時または発信日時の古い着信履歴または発信履歴を削除することを特徴とする。
【発明の効果】
【０００９】
本発明の携帯端末は、着信履歴や発信履歴を電話番号やメールアドレスの同一性から、着信または発信日時に応じて削除できる点である。
【発明を実施するための最良の形態】
【００１０】
着信履歴や発信履歴を電話番号やメールアドレスの同一性から、最新の任意の件数を残し、古い履歴を削除することで実現した。
【実施例１】
【００１１】
以下に本発明の実施の形態について図を用いて一実施例を説明する。
図１は本発明における一実施例で、携帯端末のブロック図である。
本携帯端末はアンテナ（１０）、送受信切り替え部（１１）、受信部（１２）、復調部（１３）、送信部（１４）、変調部（１５）、コーデック（１６）、音声部（１７）、スピーカ（１８）、マイク（１９）、制御部（２０）、メモリ（２１）、不揮発性メモリ（２２）、操作部（２３）、表示部（２４）、電源（２５）、ＬＥＤ等の多色発光バックライト（２６）、メロディを出力するサウンダ（２７）、無線部電源ＯＮ／ＯＦＦスイッチ（２８）からなる。
送受信切り替え部（１１）はアンテナ（１０）に到来した信号を受信部（１２）に出力するとともに、送信部（１４）から入力される信号をアンテナ（１０）より送信するものである。
受信部（１２）は送受信切り替え部（１１）から入力される信号を受信して、復調部（１３）に出力するものである。
コーデック（１６）は復調部（１３）から入力される信号を復調して、それが呼び出し信号等の制御信号であれば制御部（２０）に出力するものであり、音声信号であれば音声部（１７）に出力するものである。
音声信号は音声部（１７）で増幅されスピーカ（１８）より出力される。また、マイク（１９）から入力された音声は音声部（１７）を通してレベル調整され、これをコーデック（１６）で符号化し、変調部（１５）に出力される。
変調部（１５）はコーデック（１６）から入力された信号を変調し、送信部（１４）に出力するものである。
送信部（１４）は変調部（１５）から入力された信号を送受信切り替え部（１１）に出力するものである。
制御部（２０）はコーデック（１６）から入力された制御信号を理解し、それに対応した端末の制御を行うと共に、発呼の制御信号等をコーデック（１６）に出力する。
メモリ（２１）はプログラムが動作するために必要なデータやフラグ等の一時記憶に使用されるものである。
不揮発メモリ（２２）は電源（２５）が落とされても消えてはならない、無線部電源ＯＮ／ＯＦＦデータ、電話帳電話番号データやメロディデータ等のプログラムが必要とするデータ記憶に使用される。
操作部（２３）はキー入力により制御部（２０）に無線部電源ＯＮ／ＯＦＦデータを不揮発メモリ（２２）に書き込むように指示をする等、携帯端末としての各種動作の指示を制御部（２０）に入力するものである。
表示部（２４）は前述のキー入力を表示する他、現在の状態や、電話帳データ等を表示するものである。
電源（２５）は各機能部が動作するのに必要な電源を供給するものである。
バックライト（２６）は無線部ＯＮ／ＯＦＦキー等を後ろから発光させるものである。
サウンダ（２７）は着信時に不揮発性メモリ（２２）にあるメロディデータを出力するものである。
スイッチ（２８）は電源（２５）からの電力の供給を制御部（２０）からの制御によりＯＮ／ＯＦＦするものである。
尚、枠（２９）は無線部を示すものである。
【００１２】
上記のようなブロック図を持つ携帯端末において、本携帯端末の特徴である電話番号毎、又はメールアドレス毎に最新N個を残し、残りの古いデータを削除する動作フローの例を図２及び図３を用いて説明する。
携帯端末の電源を投入し（１００）、通常の携帯端末として動作している間にメニューより履歴削除パラメータ設定機能を選択し（１０２）、最新N個のデータを削除せずに残すのかを設定する（１０３）。以降このパラメータ（N個）は不揮発性メモリ（２２）に記憶される。
また、上記パラメータは、着信履歴、送信履歴、着信メール、送信メール毎に個々にパラメータを設定できるようにしてもよく、更に、着信履歴と送信履歴、着信メールと送信メールというように、グループ化してそのグループ毎に設定できるようにしてもよい。
尚、上記パラメータは、携帯端末の用途に応じて予め設定しておいてもよく、その設定方法については、上記実施例に限られるものではない。
【００１３】
次に通常の携帯端末動作中にメモリ削除キーを押し下げ解放すると（２００）、メニューにより削除する対象データの選択画面が現れ、着信履歴、送信履歴、着信メール、送信メールのどのデータを対象にするかを選択する（２０１）。
このとき例えば着信履歴を選択した場合は不揮発メモリの着信履歴データを揮発メモリ上に展開し、同じ電話番号毎に、日時の新しい順番に並べ（２０２）、最新N個を残し、残りのデータの不揮発メモリに相当する部分を削除する（２０３）。また、N個に満たない数しかメモリになければ削除せずに残す。
尚、ここでは使用者によるキー操作により該当するデータを削除するものとして説明したが、パラメータ設定後、使用者のキー操作がなくとも、自動的に、設定されたパラメータに応じて削除するようにしてもよい。
また、設定されたパラメータの値になったときに、使用者に削除を促し、それに応じて使用者が削除を実行させるようにしてもよい。
【図面の簡単な説明】
【００１４】
【図１】本発明における携帯端末のブロック図の一実施例
【図２】本発明におけるパラメータ設定フローの一実施例
【図３】本発明における削除フローの一実施例
【図４】本発明における着信履歴のメモリ保存の一実施例
【図５】本発明における発信履歴のメモリ保存の一実施例
【図６】本発明における着信メールのメモリ保存の一実施例
【図７】本発明における発信メールのメモリ保存の一実施例
【符号の説明】
【００１５】
１０…アンテナ、１１…送受信切り替え部、１２…受信部、１３…復調部、１４…送信部、１５…変調部、１６…コーデック、１７…音声部、１８…スピーカ、１９…マイク、２０…制御部、２１…メモリ、２２…不揮発性メモリ、２３…操作部、２４…表示部、２５…電源、２６…バックライト、２７…サウンダ、２８…スイッチ、２９…無線部
【図１】
2006066985.tif 000003
【図２】
2006066985.tif 000004
【図３】
2006066985.tif 000005
【図４】
2006066985.tif 000006
【図５】
2006066985.tif 000007
【図６】
2006066985.tif 000008
【図７】
2006066985.tif 000009